【手続補正書】
【提出日】令和2年5月28日(2020.5.28)
【手続補正１】
【補正対象書類名】特許請求の範囲
【補正対象項目名】全文
【補正方法】変更
【補正の内容】
【特許請求の範囲】
【請求項１】
記録媒体の表面における凹凸の少なくとも凸部の上に有色記録材を記録することによって前記凹凸の凸部と凹部との色を異ならせるためのデータを生成する画像処理装置であって、
前記有色記録材の記録量を表す記録量データを取得する第１取得手段と、
前記凹凸の凸部の上に記録する前記有色記録材のドットを前記凸部の端より前記凸部の中央に多く配置するための第１ハーフトーン処理を前記記録量データに対して行うハーフトーン処理手段と、
を有することを特徴とする画像処理装置。
【請求項２】
前記凹凸の形状を表す形状データを取得する第２取得手段と、
前記形状データを解析することによって、前記凹凸における注目領域が前記第１ハーフトーン処理を行う領域か否かを判定する解析手段と、をさらに有し、
前記ハーフトーン処理手段は、前記解析手段による判定の結果に基づいて、前記第１ハーフトーン処理を行うことを特徴とする請求項１に記載の画像処理装置。
【請求項３】
前記凹凸の形状を表す形状データを取得する第２取得手段と、
前記形状データを解析することによって、前記凹凸における注目領域が前記凸部に対応する領域であるか、又は、前記凹凸の凹部に対応する領域であるかを判定する解析手段と、をさらに有し、
前記ハーフトーン処理手段は、前記解析手段によって前記注目領域が前記凸部に対応する領域であると判定された場合、前記記録量データにおける前記注目領域に対応する領域に対して前記第１ハーフトーン処理を行うことを特徴とする請求項１に記載の画像処理装置。
【請求項４】
前記ハーフトーン処理手段は、前記解析手段によって前記注目領域が前記凹部に対応する領域であると判定された場合、前記記録量データにおける前記注目領域に対応する領域に対して前記有色記録材のドットを離散的に配置するための第２ハーフトーン処理を行うことを特徴とする請求項３に記載の画像処理装置。
【請求項５】
前記解析手段は、前記注目領域が前記凸部に対応する領域であると判定した場合、前記有色記録材によって前記注目領域に記録する色と前記注目領域の近傍領域に記録する色との差分を算出し、前記差分が所定の閾値より大きいか否かを判定する手段であって、
前記ハーフトーン処理手段は、前記解析手段によって前記差分が前記所定の閾値より大きいと判定された場合は、前記記録量データにおける前記注目領域に対応する領域に対して前記第１ハーフトーン処理を行い、前記解析手段によって前記差分が前記所定の閾値以下であると判定された場合は、前記記録量データにおける前記注目領域に対応する領域に対して前記第２ハーフトーン処理を行うことを特徴とする請求項４に記載の画像処理装置。
【請求項６】
前記ハーフトーン処理手段は、前記凸部の上に記録する前記有色記録材のドットを前記凸部の端より前記凸部の中央に多く配置するための閾値マトリクスを用いて、前記第１ハーフトーン処理を前記記録量データに対して行うことを特徴とする請求項１乃至請求項５のいずれか一項に記載の画像処理装置。
【請求項７】
前記凹凸の領域ごとに異なる２色を表す色情報を取得する第３取得手段と、
前記色情報に基づいて、前記記録量データを生成する色分解手段と、をさらに有し、
前記第１取得手段は、前記色分解手段によって生成された前記記録量データを取得することを特徴とする請求項１乃至請求項６のいずれか一項に記載の画像処理装置。
【請求項８】
前記色分解手段は、前記有色記録材の記録量の複数の組み合わせから、所定の条件に応じて１つの組み合わせを選択することによって、前記注目領域に記録する前記有色記録材の記録量を決定し、決定された前記記録量を表す前記記録量データを生成することを特徴とする請求項７に記載の画像処理装置。
【請求項９】
前記色分解手段は、前記有色記録材の記録量の複数の組み合わせから、前記注目領域に記録する前記有色記録材の総記録量が最も少ない記録量の組み合わせを選択することによって、前記注目領域に記録する前記有色記録材の記録量を決定し、決定された前記記録量を表す前記記録量データを生成することを特徴とする請求項８に記載の画像処理装置。
【請求項１０】
前記色分解手段は、前記有色記録材の記録量の複数の組み合わせから、前記注目領域に記録する前記有色記録材の総記録量が所定の閾値以下である組み合わせのうち前記総記録量が最も多い記録量の組み合わせを選択することによって、前記注目領域に記録する前記有色記録材の記録量を決定し、決定された前記記録量を表す前記記録量データを生成することを特徴とする請求項８に記載の画像処理装置。
【請求項１１】
前記色分解手段は、前記有色記録材の記録量の複数の組み合わせから、前記注目領域に記録する前記有色記録材の平均粘度が最も高い記録量の組み合わせを選択することによって、前記注目領域に記録する前記有色記録材の記録量を決定し、決定された前記記録量を表す前記記録量データを生成することを特徴とする請求項８に記載の画像処理装置。
【請求項１２】
前記第１ハーフトーン処理の結果に基づいて、前記記録媒体の表面における前記凹凸の上に前記有色記録材を記録する形成手段をさらに有することを特徴とする請求項１乃至請求項１１のいずれか一項に記載の画像処理装置。
【請求項１３】
前記形成手段は、前記記録媒体上に前記凹凸を形成するための記録材を用いて前記記録媒体上に前記凹凸を形成した後に、前記第１ハーフトーン処理の結果に基づいて、前記凹凸の上に前記有色記録材を記録することを特徴とする請求項１２に記載の画像処理装置。
【請求項１４】
前記凹凸を形成するための記録材は、光又は熱によって硬化する記録材、又は、木材、又は、金属であることを特徴とする請求項１３に記載の画像処理装置。
【請求項１５】
前記第１取得手段は、複数の画素を有し、前記有色記録材の記録量が各画素に記録された画像を表す記録量データを取得し、
前記記録量データは、前記凹凸の上に前記有色記録材を記録するためのデータであり、前記記録量データが表す前記画像の各画素は、前記凹凸の凸部と凹部とのいずれかに対応する記録量が記録されており、
前記凸部の端は、前記記録量データが表す画像における前記凸部に対応する領域のうち、前記凸部に対応する領域と前記凹部に対応する領域との境界の近傍領域であって、
前記凸部の中央は、前記記録量データが表す画像における前記凸部に対応する領域のうち、前記境界の近傍領域以外の領域であることを特徴とする請求項１乃至請求項１４のいずれか一項に記載の画像処理装置。
【請求項１６】
記録媒体の表面における凹凸の少なくとも凸部の上に有色記録材を記録することによって前記凹凸の凸部と凹部との色を異ならせるためのデータを生成する画像処理装置であって、
前記記録媒体上における前記有色記録材のドット配置に対応するドット配置データを取得する取得手段と、
前記凹凸の凸部の上に記録する前記有色記録材のドットを前記凸部の端より前記凸部の中央に多く配置するためのパス分解処理を前記ドット配置データに対して行うパス分解手段と、
を有することを特徴とする画像処理装置。
【請求項１７】
コンピュータを請求項１乃至請求項１６のいずれか一項に記載の画像処理装置の各手段として機能させるためのプログラム。
【請求項１８】
記録媒体の表面における凹凸の少なくとも凸部の上に有色記録材を記録することによって前記凹凸の凸部と凹部との色を異ならせるためのデータを生成する画像処理方法であって、
前記有色記録材の記録量を表す記録量データを取得する取得ステップと、
前記凹凸の凸部の上に記録する前記有色記録材のドットを前記凸部の端より前記凸部の中央に多く配置するためのハーフトーン処理を前記記録量データに対して行うハーフトーン処理ステップと、
を有することを特徴とする画像処理方法。
【請求項１９】
記録媒体の表面における凹凸の少なくとも凸部の上に有色記録材を記録することによって前記凹凸の凸部と凹部との色を異ならせるためのデータを生成する画像処理方法であって、
前記記録媒体上における前記有色記録材のドット配置に対応するドット配置データを取得する取得ステップと、
前記凹凸の凸部の上に記録する前記有色記録材のドットを前記凸部の端より前記凸部の中央に多く配置するためのパス分解処理を前記ドット配置データに対して行うパス分解ステップと、
を有することを特徴とする画像処理方法。
【手続補正２】
【補正対象書類名】明細書
【補正対象項目名】０００７
【補正方法】変更
【補正の内容】
【０００７】
上記課題を解決するために、本発明に係る画像処理装置は、記録媒体の表面における凹凸の少なくとも凸部の上に有色記録材を記録することによって前記凹凸の凸部と凹部との色を異ならせるためのデータを生成する画像処理装置であって、前記有色記録材の記録量を表す記録量データを取得する第１取得手段と、前記凹凸の凸部の上に記録する前記有色記録材のドットを前記凸部の端より前記凸部の中央に多く配置するための第１ハーフトーン処理を前記記録量データに対して行うハーフトーン処理手段と、を有することを特徴とする。